(57)【要約】【課題】  記録媒体に対して複数の同時アクセスが行われるようなシステムにおいて、当該記録媒体に対するアクセスを的確かつ自在に管理できるようにする。【解決手段】  記録媒体に対してアクセスを許可されたコンテンツ提供装置固有の機器識別子情報、記録媒体に対してアクセスを許可されたコンテンツ提供装置の設置位置固有の位置識別子情報、記録媒体に対してアクセスを許可されたユーザ固有のユーザ識別子情報、記録媒体に対して同時にアクセスするアクセス数の上限を既定した最大アクセス数情報の少なくとも一つをアクセス管理情報として設定し、要求認証手段は、当該アクセス管理情報の条件が満たされているときコンテンツ供給要求に対する認証を成功させるようにした。【選択図】        図４
2005293507.tif 000002
【特許請求の範囲】
【請求項１】
ユーザに対してそれぞれコンテンツを提供する複数のコンテンツ提供装置と、上記複数のコンテンツ提供装置に対して上記コンテンツを供給するコンテンツ供給装置とからなるコンテンツ提供システムであって、
上記コンテンツ提供装置は、
記録媒体に記録されている上記コンテンツの供給を求めるコンテンツ供給要求を上記コンテンツ供給装置に送信する要求送信手段と、
上記コンテンツ供給要求に応じて上記コンテンツ供給装置から供給された上記コンテンツを上記ユーザに対して個別に出力するコンテンツ出力手段と
を具え、
上記コンテンツ供給装置は、
上記記録媒体に対して設定されたアクセス管理情報に基づいて上記コンテンツ供給要求に対する認証を行う要求認証手段と、
上記要求認証手段による上記コンテンツ供給要求に対する認証が成功したとき、当該コンテンツ供給要求が指定する上記コンテンツを上記記録媒体から読み出して要求元の上記コンテンツ提供装置に供給するコンテンツ読出手段と
を具えることを特徴とするコンテンツ提供システム。
【請求項２】
上記アクセス管理情報は、上記当該記録媒体に対してアクセスを許可された上記コンテンツ提供装置固有の機器識別子情報、当該記録媒体に対してアクセスを許可された上記コンテンツ提供装置の設置位置固有の位置識別子情報、当該記録媒体に対してアクセスを許可された上記ユーザ固有のユーザ識別子情報、当該記録媒体に対して同時にアクセスするアクセス数の上限を既定した最大アクセス数情報の少なくとも一つでなり、
上記要求認証手段は、当該アクセス管理情報の条件が満たされているとき、上記コンテンツ供給要求に対する認証を成功させる
ことを特徴とする請求項１に記載のコンテンツ提供システム。
【請求項３】
コンテンツ供給要求で指定されたコンテンツを記録媒体から読み出して当該コンテンツ供給要求の要求元に供給するコンテンツ供給装置であって、
上記記録媒体に対して設定されたアクセス管理情報に基づいて上記コンテンツ供給要求に対する認証を行う要求認証手段と、
上記要求認証手段による上記コンテンツ供給要求に対する認証が成功したとき、当該コンテンツ供給要求が指定する上記コンテンツを上記記録媒体から読み出して要求元の上記コンテンツ提供装置に供給するコンテンツ読出手段と
を具えることを特徴とするコンテンツ供給装置。
【請求項４】
上記アクセス管理情報は、上記当該記録媒体に対してアクセスを許可された上記コンテンツ提供装置固有の機器識別子情報、当該記録媒体に対してアクセスを許可された上記コンテンツ提供装置の設置位置固有の位置識別子情報、当該記録媒体に対してアクセスを許可されたユーザ固有のユーザ識別子情報、当該記録媒体に対して同時にアクセスするアクセス数の上限を既定した最大アクセス数情報の少なくとも一つでなり、
上記要求認証手段は、当該アクセス管理情報の条件が満たされているとき、上記コンテンツ供給要求に対する認証を成功させる
ことを特徴とする請求項３に記載のコンテンツ供給装置。
【請求項５】
コンテンツ供給要求で指定されたコンテンツを記録媒体から読み出して当該コンテンツ供給要求の要求元に供給するコンテンツ供給方法であって、
上記記録媒体に対して設定されたアクセス管理情報に基づいて上記コンテンツ供給要求に対する認証を行う要求認証ステップと、
上記要求認証手段による上記コンテンツ供給要求に対する認証が成功したとき、当該コンテンツ供給要求が指定する上記コンテンツを上記記録媒体から読み出して要求元の上記コンテンツ提供装置に供給するコンテンツ読出ステップと
を具えることを特徴とするコンテンツ供給方法。
【請求項６】
上記アクセス管理情報は、上記当該記録媒体に対してアクセスを許可された上記コンテンツ提供装置固有の機器識別子情報、当該記録媒体に対してアクセスを許可された上記コンテンツ提供装置の設置位置固有の位置識別子情報、当該記録媒体に対してアクセスを許可されたユーザ固有のユーザ識別子情報、当該記録媒体に対して同時にアクセスするアクセス数の上限を既定した最大アクセス数情報の少なくとも一つでなり、
上記要求認証ステップは、当該アクセス管理情報の条件が満たされているとき、上記コンテンツ供給要求に対する認証を成功させる
ことを特徴とする請求項５に記載のコンテンツ供給方法。
【発明の詳細な説明】
【技術分野】
【０００１】
本発明はコンテンツ提供システムに関し、例えば車両内の各座席に対応して設けられたコンテンツ提供装置に対してそれぞれ個別にコンテンツを供給する用途に適用して好適なものである。
【背景技術】
【０００２】
従来カーオーディオシステムでは、例えばカセットテープ等の音源から再生した楽曲コンテンツを、車室内に設置されたスピーカを介して再生するようになされている。これに加えて、ＤＶＤ（Digital Versatile Disk）やハードディスクドライブ等の大容量の記憶装置に楽曲コンテンツを多数格納しておくようになされたカーオーディオシステムもある（例えば、特許文献１参照）。
【０００３】
さらに、楽曲コンテンツに加えて映像コンテンツを記憶装置に記憶するとともに車室内にモニタを設け、当該モニタに映像コンテンツを表示するようにしたカーエンタテインメントシステムも実用化されている。
【特許文献１】特開２００４−０７０９９８公報
【発明の開示】
【発明が解決しようとする課題】
【０００４】
上述したカーエンタテインメントシステムにおいて、運転者や同乗者の各座席にそれぞれモニタやスピーカを設け、各座席のユーザそれぞれに対して楽曲コンテンツや映像コンテンツを個別に提供できるようにすれば、当該カーエンタテインメントシステムの利便性を大幅に向上できるものと考えられる。
【０００５】
このようなマルチユーザ対応のカーエンタテインメントシステムでは、各ユーザはディスクに記憶されているコンテンツのリストから任意のコンテンツを選択して視聴する。ここで、ディスクによっては視聴対象者を所有者に限定したコンテンツが存在する。また、所有者にとって他人に視聴されたくないディスクもある。ところが上述したマルチユーザ対応のカーエンタテインメントシステムでは、このような制限を有するディスクも無制限に複数ユーザに提供されてしまう可能性があるという問題があった。
【０００６】
本発明は以上の点を考慮してなされたもので、記録媒体に対するアクセスを的確かつ自在に管理することができる、使い勝手に優れたコンテンツ提供システムを提案しようとするものである。
【課題を解決するための手段】
【０００７】
かかる課題を解決するため本発明のコンテンツ提供システムにおいては、記録媒体に記録されているコンテンツの供給を求めるコンテンツ供給要求をコンテンツ供給装置に送信する要求送信手段と、コンテンツ供給要求に応じてコンテンツ供給装置から供給されたコンテンツをユーザに対して個別に出力するコンテンツ出力手段とをコンテンツ提供装置に設け、記録媒体に対して設定されたアクセス管理情報に基づいてコンテンツ供給要求に対する認証を行う要求認証手段と、要求認証手段によるコンテンツ供給要求に対する認証が成功したとき、当該コンテンツ供給要求が指定するコンテンツを記録媒体から読み出して要求元のコンテンツ提供装置に供給するコンテンツ読出手段とをコンテンツ供給装置に設けた。
【０００８】
そしてアクセス管理情報は、当該記録媒体に対してアクセスを許可されたコンテンツ提供装置固有の機器識別子情報、当該記録媒体に対してアクセスを許可されたコンテンツ提供装置の設置位置固有の位置識別子情報、当該記録媒体に対してアクセスを許可されたユーザ固有のユーザ識別子情報、当該記録媒体に対して同時にアクセスするアクセス数の上限を既定した最大アクセス数情報の少なくとも一つでなり、要求認証手段は、当該アクセス管理情報の条件が満たされているときコンテンツ供給要求に対する認証を成功させるようにした。
【０００９】
これにより、記録媒体に対するアクセスを許可するユーザやコンテンツ提供装置並びにその設置位置、同時アクセス数を任意に設定して、当該記録媒体に対するアクセスを的確かつ自在に管理することができる。
【発明の効果】
【００１０】
本発明によれば、記録媒体に対して複数の同時アクセスが行われるコンテンツ提供システムにおいて、当該記録媒体に対するアクセスを許可するユーザやコンテンツ提供装置並びにその設置位置、同時アクセス数を任意に設定して、当該記録媒体に対するアクセスを的確かつ自在に管理することができ、かくして使い勝手に優れたコンテンツ提供システムを実現できる。
【発明を実施するための最良の形態】
【００１１】
以下図面について、本発明の一実施の形態を詳述する。
【００１２】
（１）カーエンタテインメントシステムの構成
図１において、１は全体として本発明の一実施の形態のカーエンタテインメントシステムを示し、メインユニット２に対して有線接続された７台のパーソナルユニット３（３Ａ〜３Ｇ）が、車両１００の車室１０１内に配置されて構成される。
【００１３】
コンテンツ提供装置としてのパーソナルユニット３は、車室１０１の各座席の前方にそれぞれ配置される。すなわち、運転者用のパーソナルユニット３Ａは運転席の略前方に配置され、他のパーソナルユニット３Ｂ〜３Ｇは助手席や後席の前方に配置される。各パーソナルユニット３にはそれぞれモニタ及びスピーカが設けられており、コンテンツ供給装置としてのメインユニット２から映像コンテンツや楽曲コンテンツ、さらにはカーナビゲーション画面等の種々のコンテンツを取得して再生することにより、車両１００の運転者及び同乗者（これらを総称してユーザと呼ぶ）それぞれに対して個別にコンテンツを提供し得るようになされている。
【００１４】
図２に示すようにメインユニット２は、当該メインユニット２全体を統括的に制御するＣＰＵ（Central Processing Unit）１０に対し、バス１１を介してＲＯＭ（Read Only memory）１２、ＲＡＭ（Central Processing Unit）１３、操作部１４、表示部１５、装着されたコンテンツ格納手段としてのディスク５０に対してアクセスを行うコンテンツ読出手段としてのディスクドライブ１６、当該ディスクドライブ１６から読み出したコンテンツを一時的に記憶しておくバッファ１７、各パーソナルユニット３との間で情報の送受を行う通信部１８及びＧＰＳ（Global Positioning System）部１９が接続されている。そして、メインユニット２の起動時においてＣＰＵ１０がＲＯＭ１２に記憶された制御プログラムを読み出しＲＡＭ１３上で実行することにより各種機能を実現する。
【００１５】
ディスク５０には映像コンテンツや楽曲コンテンツ等の各種コンテンツが格納されている。メインユニット２のＣＰＵ１０は、ディスクドライブ１６に装着されたディスク５０に格納されているコンテンツのリスト（以下、単にコンテンツリストと呼ぶ）を、通信部１８を介して各パーソナルユニット３に供給する。そしてコンテンツ読出手段としてのＣＰＵ１０は、各パーソナルユニット３から受信したコンテンツ供給要求で指定されたコンテンツをディスク５０から読み出す。
【００１６】
そしてディスクドライブ１６は、各パーソナルユニット３がそれぞれ個別に指定した複数のコンテンツをディスク５０から時分割で並列的に読み出す（いわゆるマルチアクセス）。そしてメインユニット２のＣＰＵ１０は、読み出した複数のコンテンツをバッファ１７に一旦記憶し、これらを再度読み出して要求元のパーソナルユニット３に供給する。このとき要求認証手段としてのＣＰＵ１０は後述するアクセス管理処理に基づき、ディスク５０に対するコンテンツ供給要求の可否を判定する。
【００１７】
また、ディスクドライブ１６にカーナビゲーション用ディスク５０Ａが装着された状態でカーナビゲーション起動操作が入力されると、ＣＰＵ１０はカーナビゲーションプログラムを実行するとともにＧＰＳ部１９を起動してカーナビゲーションモードに移行する。
【００１８】
このカーナビゲーションモードにおいてＧＰＳ部１９は、ＧＰＳアンテナ２０を介して受信した複数のＧＰＳ電波をそれぞれ復調してＧＰＳ信号を生成し、当該ＧＰＳ信号に基づいて測位した現在位置情報をＣＰＵ１０に供給する。そしてＣＰＵ１０は、パーソナルユニット３からカーナビゲーション画面の取得要求を受け取ると、地図画像をディスク５０から読み出すとともに現在位置情報に基づく自車アイコンを適宜地図画像に合成してカーナビゲーション画面を生成し、パーソナルユニット３に逐次供給する。
【００１９】
また、パーソナルユニット３から経路探索要求が与えられると、ＣＰＵ１０は当該経路探索要求に基づいて適切な経路を算出してパーソナルユニット３に供給する。そして、当該算出した経路と現在位置情報とに基づいて、目的地へ到達するためのルートガイド画面及びガイド音声をパーソナルユニット３に逐次供給する。
【００２０】
図３に示すようにパーソナルユニット３（３Ａ〜３Ｇ）は、当該パーソナルユニット３全体を統括的に制御するＣＰＵ２１に対し、バス２２を介してＲＯＭ２３、ＲＡＭ２４、操作部２５、ビデオ処理部２６、オーディオ処理部２７、及びメインユニット２との間で情報の送受を行う通信部２８が接続されて構成され、起動時においてＣＰＵ２１がＲＯＭ２３に記憶された制御プログラムを読み出しＲＡＭ２４上で実行することにより各種機能を実現する。
【００２１】
ＲＯＭ２３には各パーソナルユニット３Ａ〜３Ｇ固有の機器ＩＤが記憶されており、コンテンツ供給要求等の各種コマンドに当該機器ＩＤを付して送信することにより、メインユニット２に対してパーソナルユニット３Ａ〜３Ｇを識別させるようになされている。また操作部２５にはテンキーが設けられており、各ユーザに対して予め設定されたユーザＩＤが当該操作部２５を介して入力されると、ＣＰＵ２１は当該ユーザＩＤをＲＡＭ２４に記憶するとともに、各種コマンドに当該ユーザＩＤを付してメインユニット２に送信することにより、当該パーソナルユニット３を使用しているユーザをメインユニット２に認識させる。
【００２２】
パーソナルユニット３のＣＰＵ２１は、メインユニット２から供給されたコンテンツリストをビデオ処理部２６を介してモニタ２９に表示する。この状態において、各パーソナルユニット３それぞれのユーザは表示されたコンテンツリストの中から操作部２５を介して任意のコンテンツを選択する。
【００２３】
要求送信手段としてのＣＰＵ２１は、選択されたコンテンツの供給を求めるコンテンツ供給要求をメインユニット２に送信する。そしてパーソナルユニット３は、コンテンツ供給要求に応じてメインユニット２から供給されるコンテンツを取得して再生する。すなわち、取得したコンテンツが楽曲コンテンツの場合、当該楽曲コンテンツの音声をオーディオ処理部２７を介してコンテンツ出力手段としてのスピーカ３０から再生する。また、取得したコンテンツが映像コンテンツの場合、その映像をビデオ処理部２６を介してコンテンツ出力手段としてのモニタ２９に表示するとともに、その音声をオーディオ処理部２７を介してコンテンツ出力手段としてのスピーカ３０から再生する。さらに、取得したコンテンツがカーナビゲーション画面の場合は、当該カーナビゲーション画面をビデオ処理部２６を介してモニタ２９に表示する。
【００２４】
かくして各パーソナルユニット３は、メインユニット２に装着されたディスク５０に格納されているコンテンツにそれぞれ個別にアクセスしてユーザに提供する。
【００２５】
（２）本発明によるディスクに対するアクセス管理
本発明のカーエンタテインメントシステム１では、１つのディスク５０に対して複数のパーソナルユニット３（すなわち複数のユーザ）がアクセスを行う。このためカーエンタテインメントシステム１では、上述した機器ＩＤ及びユーザＩＤ並びにディスク５０に固有のディスクＩＤに基づいて、ディスク５０に対するアクセスを管理するようになされている。
【００２６】
すなわちこのカーエンタテインメントシステム１では、ディスク５０の所有者は、メインユニット２の操作部１４又はパーソナルユニット３の操作部２５を介して、ディスクドライブ１６に装着したディスク５０に対するアクセス管理情報を入力しておく。
【００２７】
このアクセス管理情報の内容としては、このディスク５０に対するアクセスを許可するユーザのユーザＩＤ（利用許可ユーザ情報）、ディスク５０に対するアクセスを許可するパーソナルユニットの機器ＩＤ（利用許可機器情報）及びディスク５０に対する同時アクセスを許可するユーザ数（最大アクセス数情報）でなる。また、これらアクセス管理情報の一部又は全てを無制限とすることもできる。
【００２８】
例えば、ユーザが所有するディスク５０を他人に視聴されたくない場合は、利用許可ユーザ情報として自分のユーザＩＤのみを入力すればよい。また、ディスク５０を親だけで視聴したい場合は、利用許可ユーザ情報として親のユーザＩＤのみを入力して子供たちのユーザＩＤは入力しないようにすればよい。ディスク５０を後席の同乗者のみで視聴しようとするならば、利用許可機器情報に後席のパーソナルユニット３Ｃ〜３Ｇの機器ＩＤを入力すればよい。
【００２９】
また、ディスク５０によっては予めこれらのアクセス管理情報が記録されているものもある。例えば、同時再生が禁止されたディスク５０では同時利用ユーザ数情報は「１」が記録されている。また、視聴対象者を所有者に限定したディスク５０では、利用許可ユーザ情報には所有者のユーザＩＤが記録されている。さらにカーナビゲーション用ディスク５０では、複雑な操作入力が必要なルート設定画面は、車両１００の走行中においては運転者用以外（すなわち同乗者）のパーソナルユニット３Ｂ〜３Ｇの機器のみが利用許可の対象となるように利用許可機器情報が記録されており、これにより運転者が走行中に複雑な操作入力を行うことを禁止している。なお運転者用のパーソナルユニット３Ａは、車両１００の走行中においてもルートガイド画面は取得できるようになされているため、運転者は、同乗者が設定したルートに基づくルートガイド情報を得ることができる。
【００３０】
メインユニット２のＣＰＵ１０は、ユーザによって入力されたアクセス管理情報あるいは予め記録されたアクセス管理情報をディスク５０のディスクＩＤと関連づけて、アクセス管理テーブルとしてＲＡＭ１３に記憶しておく。
【００３１】
そしてメインユニット２のＣＰＵ１０は、パーソナルユニット３からコンテンツ供給要求を受け取ると、当該コンテンツ供給要求に付されたユーザＩＤ及び機器ＩＤをアクセス管理テーブルと照合することにより、ディスク５０に対するコンテンツ供給要求の利用認証を行う。
【００３２】
すなわちＣＰＵ１０は、コンテンツ供給要求に付されたユーザＩＤ及び機器ＩＤがアクセス制限テーブルに記載されており、かつディスク５０に対する同時アクセス数がアクセス制限テーブルに記載されている最大アクセス数情報以下の場合（いずれも無制限の場合を含む）、利用認証が成功したものする。また、これらの条件を満たさなかった場合は利用認証が失敗したものとする。
【００３３】
そしてＣＰＵ１０は、利用認証が成功した場合、コンテンツ供給要求で指定されたコンテンツをディスク５０から読み出して要求元のパーソナルユニット３に供給するのに対し、利用認証が失敗した場合、コンテンツ供給要求を拒否する旨の要求拒否通知を要求元のパーソナルユニット３に送信する。
【００３４】
またＣＰＵ１０は、パーソナルユニット３の機器ＩＤ、当該パーソナルユニット３を使用しているユーザＩＤ、当該パーソナルユニット３に供給しているコンテンツの名称及び再生経過時間を関連づけたコンテンツ利用情報をＲＡＭ１３に逐次記憶しており、ユーザがコンテンツの利用を一時中断した場合でも、当該コンテンツを中断部分から継続再生できるようになされている。
【００３５】
例えばユーザが座席を移動する場合、ユーザはまず移動元の座席のパーソナルユニット３に対して再生中断操作を入力した後、移動先の座席のパーソナルユニット３にユーザＩＤを再入力することにより、メインユニット２に対して座席移動を通知することができる。メインユニット２のＣＰＵ１０は再入力されたユーザＩＤに基づいて、再生中断操作が入力された時点でユーザが利用していたコンテンツとその再生経過時間をコンテンツ利用情報から取得し、当該コンテンツを再生経過時間からパーソナルユニット３に供給する。
【００３６】
（３）アクセス管理処理手順
次に、メインユニット２が上述したアクセス管理を行うための処理手順を、図４に示すフローチャートを用いて詳細に説明する。
【００３７】
メインユニット２のＣＰＵ１０は、当該メインユニット２が起動されると、アクセス管理処理手順ルーチンＲＴ１の開始ステップから入ってステップＳＰ１に移り、パーソナルユニット３からのコンテンツ供給要求を待ち受ける。そしてＣＰＵ１０はコンテンツ供給要求を受信すると次のステップＳＰ３に移る。
【００３８】
ステップＳＰ２においてＣＰＵ１０は、アクセス制限テーブルをＲＡＭ１３から読み出して次のステップＳＰ３に移り、当該アクセス制限テーブルに基づいてコンテンツ供給要求に対する利用認証を行う。すなわちＣＰＵ１０は、コンテンツ供給要求に付されたユーザＩＤ及び機器ＩＤがアクセス管理テーブルに記載されており、かつディスク５０に対する同時アクセス数がアクセス管理テーブルに記載されている最大アクセス数情報以下のとき、利用認証が成功したとしてステップＳＰ４に移る。
【００３９】
ステップＳＰ４においてＣＰＵ１０は、コンテンツ供給要求で指定されたコンテンツをディスク５０から読み出して要求元のパーソナルユニット３に供給を開始して次のステップＳＰ５に移り、コンテンツ利用情報をＲＡＭ１３に記録開始した後、ステップＳＰ１に戻って新たなコンテンツ供給要求を待ち受ける。
【００４０】
これに対してステップＳＰ３において、コンテンツ供給要求に付されたユーザＩＤ及び機器ＩＤがアクセス管理テーブルに記載されていないか、又は同時アクセス数がアクセス制限テーブルに記載されている最大アクセス数情報より多い場合、ＣＰＵ１０は利用認証が失敗したとしてステップＳＰ６に移り、コンテンツ供給要求を拒否する旨の要求拒否通知を要求元のパーソナルユニット３に送信した後、ステップＳＰ１に戻って新たなコンテンツ供給要求を待ち受ける。
【００４１】
（４）動作及び効果
以上の構成において、メインユニット２のＣＰＵ１０は、当該メインユニット２の操作部１４やパーソナルユニット３の操作部２５を介して入力されたディスク５０についての利用許可ユーザ情報、利用許可機器情報及び最大アクセス数情報を、アクセス管理情報としてＲＡＭ１３内のアクセス管理テーブルに記憶しておく。
【００４２】
さらにメインユニット２のＣＰＵ１０は、パーソナルユニット３からコンテンツ供給要求を受け付けるとアクセス管理テーブルを参照し、要求元のパーソナルユニット３及びそのユーザがディスク５０に対してアクセスすることが許されているか、並びに当該ディスク５０に対する同時アクセス数が許可された値以下であるかを認証する。そしてメインユニット２のＣＰＵ１０は、これらの条件が全て満たされた場合、認証が成功したものとしてコンテンツ供給要求で指定されたコンテンツをディスク５０から読み出して要求元のパーソナルユニット３に供給するのに対し、これらの条件が１つでも満たされなかった場合、認証が失敗したものとして要求拒否通知を要求元のパーソナルユニット３に返送する。
【００４３】
かくしてメインユニット２は、ディスク５０に対して複数のユーザがアクセスし得るようになされたカーエンタテインメントシステム１において、ディスク５０の所有者やメーカの意志に基づいて、当該ディスク５０に対するアクセスを管理する。
【００４４】
またメインユニット２のＣＰＵ１０はカーナビゲーションモードにおいて、アクセス制限情報に基づき、車両１００の走行時には運転者用のパーソナルユニット３Ａではルート設定画面を利用できないようにする。このようにカーエンタテインメントシステム１では、座席の位置に応じて提供するコンテンツの内容を制御する。
【００４５】
以上の構成によれば、カーエンタテインメントシステム１では、ディスク５０に対して複数のユーザが無制限に同時アクセスすることを防止して、所有者やメーカ等の意志に応じたアクセスの管理を行うことができる。
【００４６】
（５）他の実施の形態
なお上述の実施の形態においては、メインユニット２と７台のパーソナルユニット３の間を有線接続するようにしたが、本発明はこれに限らず、メインユニット２と７台のパーソナルユニット３の間を無線や赤外線通信等の種々の通信手段で接続するようにしてもよく、またパーソナルユニット３の台数も適宜増減して良い。
【００４７】
また上述の実施の形態においては、各パーソナルユニット３の機器ＩＤ、パーソナルユニット３を使用するユーザのユーザＩＤ並びにディスク５０に対する同時アクセス数の全てに基づいてアクセス管理を行うようにしたが、本発明はこれに限らず、これらのうちの一部のみを用いてアクセス管理を行うようにしてもよい。
【００４８】
さらに上述の実施の形態においては、各パーソナルユニット３の機器ＩＤを用いてアクセス管理を行うようにしたが、本発明はこれに限らず、各パーソナルユニット３に対してその設置位置（運転席、助手席、後席等）に応じた位置ＩＤを付与しておき、機器ＩＤに代えて位置ＩＤを用いてアクセス管理を行うようにしたり、機器ＩＤ及び位置ＩＤの双方を用いてアクセス管理を行うようにしてもよい。
【００４９】
さらに上述の実施の形態においては、車両内で映像コンテンツ及び楽曲コンテンツの双方を提供するカーエンタテインメントシステム１に本発明を適用した場合について述べたが、本発明はこれに限らず、映像コンテンツ又は楽曲コンテンツの一方を提供するカーエンタテインメントシステムに本発明を適用してもよく、また、車両内に限らず航空機や船舶等の種々の交通手段内、さらには家庭や劇場等の室内でコンテンツを提供する種々のエンタテインメントシステムに広く適用することができる。
【産業上の利用可能性】
【００５０】
本発明は、複数のユーザに対してそれぞれ個別のコンテンツを提供する種々のコンテンツ提供システムに適用できる。
【図面の簡単な説明】
【００５１】
【図１】カーエンタテインメントシステムの全体構成を示すブロック図である。
【図２】メインユニットの構成を示すブロック図である。
【図３】パーソナルユニットの構成を示すブロック図である。
【図４】アクセス管理処理手順のフローチャートである。
【符号の説明】
【００５２】
１……カーエンタテインメントシステム、２……メインユニット、３……パーソナルユニット、１０、２１……ＣＰＵ、１１、２２……バス、１２、２３……ＲＯＭ、１３、２４……ＲＡＭ、１４、２５……操作部、１５……表示部、１６……ディスクドライブ、１７……バッファ、１８、２８……通信部、１９……ＧＰＳ部、２０……ＧＰＳアンテナ、２６……ビデオ処理部、２７……オーディオ処理部、２９……モニタ、３０……スピーカ。
【図１】
2005293507.tif 000003
【図２】
2005293507.tif 000004
【図３】
2005293507.tif 000005
【図４】
2005293507.tif 000006